(57)【要約】【課題】本発明は、パンタグラフ機構の吊り具において、フレームの開口に係着してワークを吊り上げることができる吊り具を提供するとともに、開口部の大小に拘わらず１つの吊り具で対応でき、かつ、開き止めフックの操作が容易な吊り具を提供すること。【解決手段】上部、下部リンクを有し、下部リンクにシリンダ開口部に挿通され、係着する係止爪を備えたシリンダ吊り具であって、下部リンク７はく字状リンクで、く字状リンクの頂部７ａは下部連結軸１０によって連結され、下部連結軸１０は、下端に位置決めプレート１６を有する位置決めレバー１４を、上部連結軸６は、下端に下部連結軸１０に係着し、パンタグラフ機構を収縮状態に保持する開き止めフック１８を有する吊り手１７をそれぞれ軸着したことを特徴とするシリンダ吊り具。【選択図】　　図１
2004067351.tif 000002
【特許請求の範囲】
【請求項１】
クレーン等に連結される連結金具に上部連結軸を介して開閉可能に軸着された上部リンクと、上部リンク下端に軸着され、上部リンクとパンタグラフ機構を形成する下部リンクと、下部リンク下端に設けられ、パンタグラフ機構の上下方向の収縮により、シリンダ開口部に挿通され、開口部を係着する係止爪を備えたシリンダ吊り具であって、下部リンクはく字状リンクで、く字状リンクの項部は下部連結軸に連結され、下部連結軸には、シリンダフレームに当接する位置決めプレートを有する位置決めレバーを、上部連結軸は、下部連結軸に係着し、パンタグラフ機構を収縮状態に保持する開き止めフックを有する吊り手をそれぞれ軸着したことを特徴とするシリンダ吊り具。
【請求項２】
上部リンクは、上部リンクに跨設され、上部リンクの開閉を規制する規制リンクを有することを特徴とする請求項１に記載のシリンダ吊り具。
【請求項３】
下部連結軸は、吊り手と同側に突出するハンドルを有することを特徴とする請求項１または２記載のシリンダ吊り具。
【請求項４】
吊り手は、回動軸で枢着された関節部を有することを特徴とする請求項１〜３いずれかに記載のシリンダ吊り具。
【発明の詳細な説明】
【０００１】
【発明の属する技術分野】
本発明は、高さ方向に伸縮自在なパンタグラフ機構で形成されたトングを備えたシリンダ吊り具に関するもので、さらに詳しくは、シリンダの開口部の大小に拘わらず１つの吊り具で吊り作業を対応でき、かつ、開き止めフックの操作が容易なシリンダ吊り具に関するものである。
【０００２】
【従来の技術】
従来より、天井クレーンでは、ホスト等の巻上げ機構をもつクラブから垂下されたワイヤロープに吊下げられたフックに吊持されるトング装置を備えた吊り具が使用されている。そして、トング装置を備えた吊り具の従来例として、高さ方向に伸縮可能なパンタグラフ機構で形成され、少なくとも２個のトング交差部分をもち下端部に伸縮により開閉作動するワーク挟み部をもつトングと、前記トングの一の交差部分に保持された横軸型の引掛軸と、前記引掛軸よりも上方の他のトング交差部分で揺動自在に枢支され、引掛軸に対して引掛け可能なフック部をもつ吊り手と、前記引掛軸に前記引掛軸を中心とし、高さ方向で回動自在に保持され、前記引掛軸の軸芯から遠い外周面の一部にカム突出部を有し、前記カム突出部が前記吊り手を前記引掛軸から離反するように押し出すカム部材とを具備した吊り具が知られている。
【０００３】
【発明が解決しようとする課題】
上記した従来例に代表されるように、従来のトング機構を具備した吊り具は、いずれもワークを開閉動作するワーク挾み部で把持するものであり、ワークのフレーム面に設けた開口部にトングの係止部を挿入して、ワークを吊り上げることができる構成を有するものではなかった。本発明は、トング型式の吊り具において、フレームの開口部に係着してワークを吊り上げることができる吊り具を提供するとともに、ワークの開口部の大小に拘わらず１つの吊り具で対応でき、かつ、開き止めフックの操作が容易な吊り具を提供するものである。
【０００４】
【課題を解決するための手段】
本発明は、上記した課題を解決するもので、クレーン等に連結される連結金具に上部連結軸を介して開閉可能に軸着された上部リンクと、上部リンク下端に軸着され、上部リンクとパンタグラフ機構を形成する下部リンクと、下部リンク下端に設けられ、パンタグラフ機構の上下方向の収縮により、シリンダ開口部に挿通され、開口部を係着する係止爪を備えたシリンダ吊り具であって、下部リンクはく字状リンクで、く字状リンクの項部は下部連結軸によって連結され、下部連結軸は、シリンダフレームに当接する位置決めプレートを有する位置決めレバーを、上部連結軸は、下部連結軸に係着し、パンタグラフ機構を収縮状態に保持する開き止めフックを有する吊り手をそれぞれ軸着したことを特徴とするものである。
【０００５】
本発明によると、下部リンクをく字状リンクとし、リンク頂部を下部連結軸で連結し、上部、下部リンクで形成するパンタグラフ機構の収縮時には、係止爪は閉じてシリンダ開口部に挿通可能となる。次に、位置決めバーがシリンダフレームに当接することにより、係止爪の下降が阻止され、フックと下部連結軸との係合を解除するので、容易にフックを連結軸から外すことができ、吊り具を上昇することで、パンタグラフ機構が伸長し、係止爪を開き、係止爪はシリンダ開口部に係着するため、シリンダを吊り具によって搬送することができる。
【０００６】
【発明の実施の形態】
本発明の請求項１に記載の発明は、クレーン等に連結される連結金具に上部連結軸を介して開閉可能に軸着された上部リンクと、上部リンク下端に軸着され、上部リンクとパンタグラフ機構を形成する下部リンクと、下部リンク下端に設けられ、パンタグラフ機構の上下方向の収縮により、シリンダ開口部に挿通され、開口部を係着する係止爪を備えたシリンダ吊り具であって、下部リンクはく字状リンクで、く字状リンクの項部は下部連結軸に連結され、下部連結軸は、シリンダフレームに当接する位置決めプレートを有する位置決めレバーを、上部連結軸は、下部連結軸に係着し、パンタグラフ機構を収縮状態に保持する開き止めフックを有する吊り手をそれぞれ軸着したことを特徴とするもので、下部リンクをく字状リンクとし、リンク頂部を下部連結軸で連結し、吊り具の下降時には、係止爪は閉じてシリンダ開口部に挿通可能となり、位置決めバーがシリンダフレームに当接すると、係止爪の下降が阻止され、フックと下部連結軸との係合を解除するので、容易にフックを下部連結軸から外すことができ、吊り具を上昇することで、パンタグラフ機構が伸長し、係止爪を開き、シリンダ開口部に係着するため、シリンダを吊り具に正確に係止して搬送することができる吊り具を提供することができる作用を有する。
【０００７】
請求項２に記載の発明は、上部リンクは、上部リンクに跨設され、上部リンクの開きを規制する規制リンクを有することを特徴とするもので、上部リンクの開きを規制することにより、パンタグラフ機構の伸長を規正できる吊り具を提供できる作用を有する。
【０００８】
請求項３に記載の発明は、下部連結軸は、吊り手と同側に突出するハンドルを有することを特徴とするもので、下部連結軸のハンドルを吊り手と同側に設けることにより、下部連結軸のハンドルを持ったままで、例えば親指にて吊り手を押して、容易にフックを下部連結軸より開放し、シリンダをチャックすることができる作用を有する。
【０００９】
請求項４に記載の発明は、吊り手は、回動軸で枢着された関節部を有することを特徴とするもので、開き止めフックを備えた吊り手に関節部を設けたことで、下部連結軸から開き止めフックを開放することが容易となるとともに、フックを下部連結軸の反対側に移動することが可能で、吊り手の解除状態を保持することなく、シリンダのチャック、移動が可能となる作用を有する。
【００１０】
【実施の形態１】
以下、本発明のシリンダ吊り具の実施の形態について説明する。
【００１１】
図１は本発明の実施の形態における吊り具のパンタグラフ機構が収縮している状態を、図２は伸長している状態を示す。
【００１２】
吊り具１は、ホイスト等なら垂下されるチェーン２に吊設される下金具３、下金具３と水平方向に旋回可能に軸支される連結金具４、連結金具４に上端が軸着される上部リンク５、上部リンク５の下端に上端が連結され、上部リンクとパンタグラフ機構を形成する下部リンク７を備えている。６は連結金具４と上部リンク５の上端を回動可能に軸着する上部連結軸、８は上部リンク５下端と下部リンク７上端を軸着する下部リング連結軸である。
【００１３】
本実施の形態においては、下部リンク７はく字状のリンク体で、そのく字状リンクの頂部７ａは下部連結軸１０とリンク連結ナット１２によって連結され、上部リンク５と下部リンク７でパンタグラフ機構を形成する。また、下部リンク７の下端には、シリンダ２４のフランジ２４ａに設けた開口部２５に挿通されて、開口部２５の内側を係止するように外側に向けて突出する係止爪９が設けられており、下部リンク７をパンタグラフ機構によって伸縮することによって係止爪９を左右均等に開閉する。係止爪９はパンタグラフ機構が収縮すると、内側へ向かって動作し、閉じた状態となり、パンタグラフ伸長すると、外側に向かって動作する。下部連結軸１０の一端には、図２（ｂ）に示すように、ハンドル１１が設けられており、ハンドル１１とリンク連結ナット１２間には、後記する吊り手の下端に設けたフックが係止する係止軸部１３が設けられている。また、下部連結軸１０の他端には、位置決めレバー１４の一端が軸着されており、位置決めレバー１４の他端には、シリンダー２４の上端部であるフランジ２４ａと接合し、位置決めを行う位置決めプレート１６が設けられている。
【００１４】
一方、上部連結軸６には、吊り手１７の上端が軸着されており、吊り手１７の下端には、下部連結軸１０の係止軸部１３に係合する開き止めフック１８が設けられている。開き止めフック１８は、係止軸部１３と摺接してガイドされる傾斜部１８ａを有する。また、吊り手１７には、下部連結軸１０のハンドル１１と同側近傍にハンドル１９が設けられている。開き止めフック１８は、係止軸部１３に係合することで、吊り具の下降時において、下部リンク７、７で形成するトングの伸縮を規制する。また、上部リンク５、５には、上部リンク５、５を跨がって、規制リンク２０が支軸２１で軸着されており、規制リンク２０の一端には、支軸２１が遊嵌されるガイド用長孔２２が設けられ、吊り具１の上部リンク５、５の開き具合を規定する。
【００１５】
次に、本実施の形態の吊り具の動作について説明する。吊り具１の伸長状態では、吊り手１７のハンドル１９を押し下げて、吊り手１７の開き止めフック１８を係止軸部１３に引掛け上部リンク５、５、下部リンク７、７で形成されるパンタグラフ機構の伸縮を規制し、固定状態に保持して、図１に示すように、係止爪９は内側に向かって動作して閉じた状態となる。この状態で、天井走行クレーン等で吊り具１をシリンダ２４のフランジ２４ａの真上の位置まで移動させる。次に、吊り具１を下降させ、ハンドル１１とクレーン等の操作スイッチを操作して、シリンダ２４のフランジ２４ａに設けた開口部２５に係止爪９を挿入する。吊り具１が下降し、係止爪９が開口部２５に挿通すると、位置決めレバー１４の位置決めプレート１６がシリンダ２４のフランジ２４ａに当接する。位置決めプレート１６がフランジ２４ａに当接すると、吊り具１の下降は規制され、吊り手１７をさらに下降すると、パンタグラフ機構が収縮した状態となり、吊り手１７のフック１８は、下部連結軸１０の係止軸部１３との係合を解除し、係止軸部１３から離れる。この状態で、ハンドルを持った手の親指で吊り手１７のハンドル１９を操作し、吊り手１７を図の右方向に回動させ、吊り具１を上昇すると、パンタグラフ機構は吊り手１７による規制を受けないため上方向に伸長し、図２に示すように、係止爪９が開き、シリンダ開口部２５の内側緑部に係合する。
【００１６】
この状態で吊り具１を上昇し、クレーン等より、シリンダ２４を所定位置に搬送する。所定位置において吊り具１を下降すると、パンタグラフ機構は収縮し、係止爪９はシリンダ２４の開口部２５との係合が外される方向である内側に収縮し、同時に吊り手１７のフック１８は、傾斜部１８ａが係止軸部１３と当接してガイドされながら下降して、係止軸部１３と係合する。次に、吊り具１を上昇すると、係止爪９はシリンダ２４の開口部２５から離れて、吊り具１はシリンダ２４から解放される。この吊り具１によるシリンダ２４の搬送動作時において、吊り手１７の開き止めフック１８が係止軸部１３に係合していない場合は、上部リンク５、５は規制リンク２０により広狭動作範囲が規制される。
【００１７】
【実施の形態２】
本実施の形態は、図３、４に示すように、吊り手１７を上部リンク１７ａと下部リンク１７ｂに分割して構成し、両者を回動軸２３にて連結し、回動軸２３を関節部として、上部リンク１７ａ下部リンク１７ｂを折り曲げ可能に連結した構成としたことを特徴とする。その他の構成は、実施の形態１と全く同一である。
【００１８】
次に、実施の形態２の吊り具の動作について説明する。吊り具１の開放状態で、吊り手１７のハンドル１９を押し下げて、図３（ａ）に示すように、吊り手１７のフック１８を下部連結軸１０の係止軸部１３に引掛け、上部リンク５、５、下部リンク７、７で形成されるパンタグラフ機構を固定状態に保持する。この時、係止爪９は内側に向かって動作し、閉じた状態となる。この状態で、ハンドルを持ちながら天井走行クレーン等で吊り具をシリンダ２４の真上の位置まで移動させる。
【００１９】
次に、吊り具１を下降させ、ハンドル１１とクレーンを操作して、シリンダ２４のフランジ２４ａに設けた開口部２５に係止爪９を挿入する。
【００２０】
吊り具１が下降し、係止爪９が開口部２５に挿通されると、位置決めレバー１４の位置決めプレート１６がシリンダ２４のフランジ２４ａに当接し、係止爪９の下降を停止する。吊り手１７が規制リンク２０で規制される範囲内でさらに下降すると、パンタグラフ機構はさらに収縮した状態となり、フック１８と係止軸部１３との係合が外れ、図３（ｂ）示すように、ハンドル１９を操作して、フック１８を係止軸部１３から右方へ離す。次に、図３（ｃ）に示すように、フック１８を係止軸部１３の反対側に移動することでフック１８と係止軸１３との解除状態を保持することができる。次に吊り具１を上昇すると、図３（ｄ）に示すように、パンタグラフ機構は、規制リンク２０にて規制される範囲で上方向に伸長し、係止爪９が開きシリンダ開口部２５の内側緑部に係着する。次に、図４（ａ）に示すように、シリンダ２４を係止した状態で、クレーン等により、シリンダ２４を所定位置に搬送する。シリンダ２４が所定位置に搬送されると吊り具１を下降すると、図４（ｂ）に示すように、パンタグラフ機構は収縮し、係止爪９はシリンダ２４の開口部２５から外れる方向に内側に収縮し、開き止めフック１８は係止軸部１３と係合する。次に、吊り具１を上昇すると、図４（ｃ）に示すように、係止爪９はシリンダ２４の開口部２５から離れ、吊り具１はシリンダ２４から解放される。
【００２１】
上記した実施の形態では、吊り手１７にハンドル１９を設けているが、吊り手１７を直接操作できるものであれば、ハンドル１９を必要としない。
【００２２】
また、本発明の吊り具でのシリンダの搬送動作において、操作者は、一方の手ではホイスト等の操作スイッチを操作し、他方の手のみで本発明の吊り具の操作を可能とすることができるので、操作が煩雑にならず安定した搬送作業が行える効果を有する。
【００２３】
【発明の効果】
本発明によると、下部リンクをく字状リンクとし、リンク頂部を下部連結軸で連結し、吊り具の下降時には、係止爪は閉じてシリンダ開口部に挿通可能となり、位置決めレバーがシリンダフレームに当接すると吊り具の下降が阻止され、フックと連結軸との係合を解除するので、容易にフックを連結軸から外すことができ、吊り具を上昇することで、パンタグラフ機構が伸長し、係止爪を開き、シリンダ開口部に係着するため、シリンダを吊り具に正確に係止して搬送することができる。また、吊り手に関節部を設けたことで、係止軸部から開き止めフックを開放することが容易となり、フックを下部連結軸の反対側に移動することで、吊り手の解放を保持する操作をすることなく、シリンダのチャック、移動が可能となる吊り具を提供できる。
【図面の簡単な説明】
【図１】本発明の一実施の形態による吊り具のパンタグラフ機構が収縮している状態を示す正面図である。
【図２】（ａ）は、パンタグラフ機構が伸長している状態を示す正面図である。
（ｂ）は、図２（ａ）の側面図である。
【図３】（ａ）〜（ｄ）は本発明の他の実施の形態による吊り具の係止爪がシリンダ開口部に係合する動作を示す正面図である。
【図４】（ａ）〜（ｃ）は係止爪がシリンダ開口部から解放される動作を示す正面図である。
【符号の説明】
１　　吊り具
２　　チェーン
３　　下金具
４　　連結金具
５　　上部リンク
６　　上部連結軸
７　　下部リンク
７ａ　く字状頂部
８　　下部リンク連結軸
９　　係止爪
１０　下部連結軸
１１　ハンドル
１２　リンク連結ナット
１３　係止軸部
１４　位置決めレバー
１５　軸
１６　位置決めプレート
１７　吊り手
１７ａ上部リンク
１７ｂ下部リンク
１８　開き止めフック
１８ａ傾斜部
１９　ハンドル
２０　規制リンク
２１　支軸
２２　長孔
２３　回動軸
２４　シリンダ
２４ａフランジ
２５　開口部
【図１】
2004067351.tif 000003
【図２】
2004067351.tif 000004
【図３】
2004067351.tif 000005
【図４】
2004067351.tif 000006